(57)【要約】【課題】指紋センサを用いて、単に個人を識別するだけでなく、他の便利な機能をユーザに提供することが可能な情報処理装置、情報処理方法、及びコンピュータが実行可能なプログラムを提供することを目的とする。【解決手段】情報処理装置は、指の指紋を読み取る指紋センサと、前記指紋センサに対する前記指の操作パラメータを判別する判別手段と、前記指紋センサで読み取った指紋と、登録してある指紋とを照合する照合手段と、前記照合手段で照合が合致した場合に、前記判別手段で判別した操作パラメータに基づいて、所定の処理を実行する処理手段と、を備えている。【選択図】図１
2017151551.tif 000002
【特許請求の範囲】
【請求項１】
指の指紋を読み取る指紋センサと、
前記指紋センサに対する前記指の操作パラメータを判別する判別手段と、
前記指紋センサで読み取った指紋と、登録してある指紋とを照合する照合手段と、
前記照合手段で照合が合致した場合に、前記判別手段で判別した操作パラメータに基づいて、所定の処理を実行する処理手段と、
を備えたことを特徴とする情報処理装置。
【請求項２】
前記所定の処理は、前記判別手段で判別した操作パラメータに基づいて、登録された複数のユーザ名の中から、対応するユーザ名でのログイン処理であることを特徴とする請求項１に記載の情報処理装置。
【請求項３】
前記所定の処理は、前記判別手段で判別した操作パラメータに基づいて、登録されている複数のアプリケーションの中から、対応するアプリケーションを起動させる処理であることを特徴とする請求項１に記載の情報処理装置。
【請求項４】
前記所定の処理は、前記判別手段で判別した操作パラメータに基づいて、登録されている複数のＷｅｂサイトの中から、対応するＷｅｂサイトへの接続処理であることを特徴とする請求項１に記載の情報処理装置。
【請求項５】
前記指紋センサはエリア型の指紋センサであり、
前記操作パラメータは、前記エリア型の指紋センサに対してタッチされた指の角度又は圧力であることを特徴とする請求項１〜４のいずれか１つに記載の情報処理装置。
【請求項６】
前記指紋センサはライン型の指紋センサであり、
前記操作パラメータは、前記ライン型の指紋センサに対する指のスライド方向又は指のスライド速度であることを特徴とする請求項１〜４のいずれか１つに記載の情報処理装置。
【請求項７】
前記操作パラメータは、前記指紋センサに対する所定時間内の操作回数であることを特徴とする請求項１〜４のいずれか１つに記載の情報処理装置。
【請求項８】
指紋センサで指の指紋を読み取る工程と、
前記指紋センサに対する前記指の操作パラメータを判別する判別工程と、
前記指紋センサで読み取った指紋と、登録してある指紋とを照合する照合工程と、
前記照合工程で照合が合致した場合に、前記判別工程で判別した操作パラメータに基づいて、所定の処理を実行する処理工程と、
をコンピュータが実行するためのコンピュータが実行可能なプログラム。
【請求項９】
指紋センサで指の指紋を読み取る工程と、
前記指紋センサに対する前記指の操作パラメータを判別する判別工程と、
前記指紋センサで読み取った指紋と、登録してある指紋とを照合する照合工程と、
前記照合工程で照合が合致した場合に、前記判別工程で判別した操作パラメータに基づいて、所定の処理を実行する処理工程と、
を含むことを特徴とする情報処理方法。
【発明の詳細な説明】
【技術分野】
【０００１】
本発明は、情報処理装置、情報処理方法、及びコンピュータが実行可能なプログラムに関する。
【背景技術】
【０００２】
近時、指紋認証は、スマートフォン、ノートＰＣ等の情報処理装置等の各種装置で使用されている。指紋認証に使用するセンサとしては、例えば、センサに指を置き静止して使用するエリア型の指紋センサ、センサに指を擦るようにスライド（スワイプ）して使用するライン型の指紋センサがある。
【０００３】
エリア型の指紋センサは、どの角度で指がタッチされても、登録されている指紋とエリア型の指紋センサで読み取った指紋が一致する場合は、認証成功となる。また、ライン型の指紋センサは、前方と後方のいずれの方向に指をスライドさせても、登録されている指紋とライン型の指紋センサで読み取った指紋が一致する場合は、認証成功となる。
【０００４】
ところで、指紋センサは、個人を識別するために使用されるものであるが、単に個人を識別するだけでなく、便利な他の付加的な機能をユーザに提供することが望まれる。
【先行技術文献】
【特許文献】
【０００５】
【特許文献１】特開２００８−１２３２６１号公報
【発明の概要】
【発明が解決しようとする課題】
【０００６】
本発明は、上記に鑑みてなされたものであり、指紋センサを用いて、単に個人を識別するだけでなく、他の便利な機能をユーザに提供することが可能な情報処理装置、情報処理方法、及びコンピュータが実行可能なプログラムを提供することを目的とする。
【課題を解決するための手段】
【０００７】
上述した課題を解決し、目的を達成するために、本発明は、指の指紋を読み取る指紋センサと、前記指紋センサに対する前記指の操作パラメータを判別する判別手段と、前記指紋センサで読み取った指紋と、登録してある指紋とを照合する照合手段と、前記照合手段で照合が一致した場合に、前記判別手段で判別した操作パラメータに基づいて、所定の処理を実行する処理手段と、を備えたことを特徴とする。
【０００８】
また、本発明の好ましい態様によれば、前記所定の処理は、前記判別手段で判別した操作パラメータに基づいて、登録された複数のユーザ名の中から、対応するユーザ名でのログイン処理であることが望ましい。
【０００９】
また、本発明の好ましい態様によれば、前記所定の処理は、前記判別手段で判別した操作パラメータに基づいて、登録されている複数のアプリケーションの中から、対応するアプリケーションを起動させる処理であることが望ましい。
【００１０】
また、本発明の好ましい態様によれば、前記所定の処理は、前記判別手段で判別した操作パラメータに基づいて、登録されているＷｅｂサイトの中から、対応するＷｅｂサイトへの接続処理であることが望ましい。
【００１１】
また、本発明の好ましい態様によれば、前記指紋センサはエリア型の指紋センサであり、前記操作パラメータは、前記エリア型の指紋センサに対してタッチされた指の角度又は圧力であることが望ましい。
【００１２】
また、本発明の好ましい態様によれば、前記指紋センサはライン型の指紋センサであり、前記操作パラメータは、前記ライン型の指紋センサに対する指のスライド方向又は指のスライド速度であることが望ましい。
【００１３】
また、本発明の好ましい態様によれば、前記操作パラメータは、前記指紋センサに対する所定時間内の指の操作回数であることが望ましい。
【００１４】
また、上述した課題を解決し、目的を達成するために、本発明は、指紋センサで指の指紋を読み取る工程と、前記指紋センサに対する前記指の操作パラメータを判別する判別工程と、前記指紋センサで読み取った指紋と、登録してある指紋とを照合する照合工程と、
前記照合工程で照合が一致した場合に、前記判別工程で判別した操作パラメータに基づいて、所定の処理を実行する処理工程と、をコンピュータが実行することを特徴とする。
【００１５】
また、上述した課題を解決し、目的を達成するために、本発明は、指紋センサで指の指紋を読み取る工程と、前記指紋センサに対する前記指の操作パラメータを判別する判別工程と、前記指紋センサで読み取った指紋と、登録してある指紋とを照合する照合工程と、前記照合工程で照合が一致した場合に、前記判別工程で判別した操作パラメータに基づいて、所定の処理を実行する処理工程と、を含むことを特徴とする。
【発明の効果】
【００１６】
本発明によれば、指紋センサを用いて、単に個人を識別するだけでなく、他の便利な機能をユーザに提供することが可能な情報処理装置を提供することを目的とする。
【図面の簡単な説明】
【００１７】
【図１】図１は、実施の形態に係る情報処理装置を示す概念図である。
【図２】図２は、実施例１に係る情報処理装置の外観構成を示す模式的な斜視図である。
【図３】図３は、エリア型の指紋センサに対する指のタッチ角度を説明するための図である。
【図４】図４は、エリア型の指紋センサに対する指のタッチ角度を説明するための図である。
【図５】図５は、エリア型の指紋センサに対する指のタッチ角度に応じて、対応するユーザ名でログインする処理の一例を説明するためのフローチャートである。
【図６】図６は、エリア型の指紋センサに対する指のタッチ角度に応じて、対応するユーザ名でログインする処理の具体例を説明するための図である。
【図７】図７は、実施例２に係る情報処理装置の外観構成を示す模式的な斜視図である。
【図８】図８は、ライン型の指紋センサにおいて、指のスライド方向と指紋画像との関係の一例を説明するための説明図である。
【図９】図９は、ライン型の指紋センサに対する指のスライド方向に応じて、対応するアプリを起動させる処理の一例を説明するためのフローチャートである。
【図１０】図１０は、ライン型の指紋センサに対する指のスライド方向に応じて、対応するアプリを起動させる処理の具体例を説明するための図である。
【図１１】図１１は、実施の形態及び実施例に係る情報処理装置のハードウェア構成例を示す図である。
【発明を実施するための形態】
【００１８】
以下に、この発明に係る情報処理装置、情報処理方法、及びコンピュータが実行可能なプログラムを図面に基づいて詳細に説明する。本発明の構成要素は、本明細書の図面に一般に示してあるが、様々な構成で広く多様に配置し設計してもよいことは容易に理解できる。従って、本発明の装置、システム及び方法の実施形態についての以下のより詳細な説明は、特許請求の範囲に示す本発明の範囲を限定するものではなく、単に本発明の選択した実施形態の一例を示すものであって、本明細書の特許請求の範囲に示す本発明と矛盾無く装置、システム及び方法についての選択した実施形態を単に示すものである。当業者は、特定の細目の１つ以上が無くても、又は他の方法、部品、材料でも本発明を実現できることが理解できる。また、以下に示す実施の形態及び実施例は単独で実施してもよいし、組み合わせて実施してもよい。また、以下に示すフローチャートは一部の処理を削除したり、処理の順番を入れ替えて実施してもよい。なお、この実施の形態によりこの発明が限定されるものではない。また、下記実施の形態における構成要素には、当業者が容易に想定できるもの又は実質的に同一のものが含まれる。
【００１９】
（実施の形態）
図１を参照して、本発明の実施の形態に係る情報処理装置を説明する。図１は、実施の形態に係る情報処理装置の一例を示す概念図である。本実施の形態に係る情報処理装置は、例えば、ノート型ＰＣ、デスクトップ型ＰＣ、スマートフォン、タブレット、携帯電話、ＰＤＡ等の指紋センサを備えた情報処理装置である。本実施の形態に係る情報処理装置は、指紋センサ使用して、個人を識別するだけではなく、他の便利な機能をユーザに提供するものである。
【００２０】
図１に示すように、本実施の形態の情報処理装置１は、指紋センサ１１、判別手段１２、照合手段１３、処理手段１４、指紋関連情報格納部１５を備えている。
【００２１】
指紋センサ１１は、指の指紋を読み取るためのものであり、例えば、エリア型の指紋センサ又はライン型の指紋センサである。
【００２２】
判別手段１２は、指紋センサ１１に対する指の操作パラメータを判別する。ここで、指の操作パラメータは、指の操作方向、操作角度、操作速度、操作圧力、及び操作回数等の指による操作の物理量等である。具体的には、例えば、指紋センサ１１がエリア型（矩形型、丸型、楕円型等を含む）の指紋センサ（図２参照）である場合は、操作パラメータは、エリア型の指紋センサに対してタッチされた指の角度又は圧力であることにしてもよい。また、指紋センサ１１がライン型の指紋センサ（図７参照）である場合は、操作パラメータは、ライン型の指紋センサに対する指のスライド方向又は指のスライド速度であることにしてもよい。また、操作パラメータは、指紋センサ１１に対する所定時間内の指の操作回数としてもよく、例えば、指紋センサ１１がエリア型の指紋センサである場合は指のタッチ回数、ライン型の指紋センサである場合は指のスライド回数としてもよい。
【００２３】
照合手段１３は、指紋センサ１１で読み取った指紋画像と、登録してある指紋画像とを照合する。具体的には、照合手段１３は、指紋センサ１１で読み取った指紋画像と、指紋関連情報格納部１５に予め記憶されている登録指紋画像とが合致するかを照合する。
【００２４】
処理手段１４は、照合手段１３で照合が合致した場合に、判別手段１２で判別した操作パラメータに基づいて、指紋関連情報格納部１５に格納された情報を参照して、所定の処理を実行する。例えば、所定の処理は、判別手段１２で判別した操作パラメータに基づいて、登録された複数のユーザ名の中から、対応するユーザ名でのログイン処理であることにしてもよい。また、所定の処理は、判別手段１１で判別した操作パラメータに基づいて、登録された複数のアプリケーションの中から、対応するアプリケーションを起動させる処理であることにしてもよい。また、所定の処理は、判別手段１１で判別した操作パラメータに基づいて、登録されているＷｅｂサイトの中から、対応するＷｅｂサイトへの接続処理であることにしてもよい。また、複数のＯＳを選択的に実行可能な情報処理装置の場合は、所定の処理は、判別手段１１で判別した操作パラメータに基づいて、複数のＯＳ（例えば、Ｗｉｎｄｏｗｓ（登録商標）７、１０）の中から、対応するＯＳの起動であることにしてもよい。
【００２５】
指紋関連情報格納部１５は、ユーザの登録指紋画像と、操作パラメータの内容と、対応する処理内容等を対応づけて格納しており（例えば、図６、図１０参照）、照合手段１３や処理手段１４により参照される。
【００２６】
上記構成において、判別手段１２、照合手段１３、及び処理手段１４は、ハードウェアやソフトウェアのモジュール、又は、その組み合わせで構成することができる。また、コンピュータがプログラムを実行することにより、判別手段１２、照合手段１３、及び処理手段１４の機能を実現することにしてもよい。
【００２７】
以上説明したように、本実施の形態によれば、指の指紋を読み取る指紋センサ１１と、指紋センサ１１に対する指の操作パラメータを判別する判別手段１２と、指紋センサ１１で読み取った指紋と、登録してある指紋とを照合する照合手段１３と、照合手段１３で照合が合致した場合に、判別手段１２で判別した操作パラメータに基づいて、所定の処理を実行する処理手段１４と、を備えているので、指紋センサ１１に対する指の操作パラメータに応じて、所定の処理を実行でき、指紋センサを用いて、単に個人を識別するだけでなく、他の便利な機能をユーザに提供することが可能となる。
【００２８】
また、所定の処理は、判別手段１２で判別した操作パラメータに基づいて、登録された複数のユーザ名の中から、対応するユーザ名でのログイン処理であることとしたので、指紋センサ１１に対する指の操作パラメータに応じて、異なるユーザ名でログインすることが可能となる。
【００２９】
また、所定の処理は、判別手段１２で判別した操作パラメータに基づいて、登録されている複数のアプリケーションの中から、対応するアプリケーションを起動させる処理であることとしたので、指紋センサ１１に対する指の操作パラメータに応じて、異なるアプリケーションを起動させることが可能となる。
【００３０】
また、所定の処理は、判別手段１２で判別した操作パラメータに基づいて、登録されているＷｅｂサイトの中から、対応するＷｅｂサイトへの接続処理であることとしたので、
指紋センサ１１に対する指の操作パラメータに応じて、異なるＷｅｂサイトに接続することが可能となる。
【００３１】
また、指紋センサ１１はエリア型の指紋センサであり、操作パラメータは、エリア型の指紋センサに対してタッチされた指の角度又は圧力であることとしたので、エリア型の指紋センサに対する指のタッチ角度又はタッチ圧力に応じて、対応する処理を実行することが可能となる。
【００３２】
また、指紋センサ１１はライン型の指紋センサであり、操作パラメータは、ライン型の指紋センサに対する指のスライド方向又は指のスライド速度であることとしたので、ライン型の指紋センサに対する指のスライド方向又はスライド速度に応じて、対応する処理を実行することが可能となる。
【００３３】
また、操作パラメータは、指紋センサに対する所定時間内の指の操作回数であることとしたので、指紋センサに対する所定時間内の指の操作回数に応じて、対応する処理を実行することが可能となる。
【００３４】
（実施例１）
上記図１のように構成される情報処理装置１の実施例１を説明する。実施例１では、上記指紋センサ１１としてエリア型の指紋センサ１１Ａを使用し、上記操作パラメータをエリア型の指紋センサ１１Ａに対する指のタッチ角度、上記所定の処理を対応するユーザ名でのログイン処理とした場合について説明する。
【００３５】
図２は、実施例１に係る情報処理装置１の外観構成を示す模式的な斜視図である。図２に示すように、情報処理装置１は、ノート型ＰＣであり、第１の筐体２０と、第２の筐体３０とを備えている。また、情報処理装置１は、第１の筐体２０と第２の筐体３０との間にヒンジ（連結部）４０を備えている。図２において、第１の筐体２０の長手方向に平行に伸長する方向をＸ方向、第１の筐体２０の短手方向に平行に伸長する方向をＹ軸方向、Ｘ軸方向及びＹ軸方向に対して垂直な鉛直方向上向き方向をＺ軸方向と称する。
【００３６】
第１の筐体２０の表面には、キーボード装置２１と、タッチパッド２２と、タッチパッド２２の側方にエリア型の指紋センサ１１Ａが配置されている。第２の筐体３０の表面には表示部３１が配置されている。
【００３７】
図３及び図４は、エリア型の指紋センサ１１Ａに対する指のタッチ角度θを説明するための図である。例えば、図３において、Ｙ軸方向の上方向に平行な方向に指先を上方向にして指タッチした場合のタッチ角度θ＝０度として、左回り方向を回転の正方向とする。タッチ角度θが０度≦θ＜４５度及び３１５度≦θ≦３６０度（０度）の範囲をタッチ角度θ１とする。タッチ角度θが４５度≦θ＜１３５度の範囲をタッチ角度θ２とする。タッチ角度θが１３５度≦θ＜２３５度の範囲をタッチ角度θ３とする。タッチ角度θが２３５度≦θ＜３１５度の範囲をタッチ角度θ４とする。
【００３８】
例えば、図４（Ａ）に示すように、指をＹ軸方向の上方向に平行にしてエリア型の指紋センサ１１Ａにタッチした場合は、タッチ角度θ＝０度となり、タッチ角度θ１の範囲内となる。また、図４（Ｂ）に示すように、指を横方向（例えば、９０度回転させた場合）にしてエリア型の指紋センサ１１Ａにタッチした場合は、タッチ角度θ＝９０度となり、タッチ角度θ２の範囲内となる。
【００３９】
指紋関連情報格納部１５は、ユーザ名と、ユーザの登録指紋画像と、エリア型の指紋センサ１１Ａに対する指のタッチ角度とを関連づけて記憶している（図６参照）。指紋関連情報格納部１５のデータの格納形式は各種の形式を採用することができ、例えば、テーブル形式とすることができる。ユーザは、ＵＩを操作して、例えば、設定画面上で、指紋画像と、タッチ角度に対応するユーザ名を登録することが可能となっている。
【００４０】
図５は、エリア型の指紋センサ１１Ａに対する指のタッチ角度に応じて、対応するユーザ名でログインする処理の一例を説明するためのフローチャートである。ログインする処理は、電源投入時や休止状態から復帰する場合等に実行される。図５において、エリア型の指紋センサ１１Ａは、タッチされた指の指紋を読み取り、読み取った指紋画像を判別手段１２、照合手段１３、及び処理手段１４に出力する（ステップＳ１）。判別手段１２は、エリア型の指紋センサ１１Ａから入力される指紋画像に基づいて、エリア型の指紋センサ１１Ａに対する指のタッチ角度を判別する（ステップＳ２）。照合手段１３は、指紋センサ１１から入力される指紋画像と、指紋関連情報格納部１５に格納されている登録指紋画像とを照合して、一致するか否かを判断する（ステップＳ３）。
【００４１】
エリア型の指紋センサ１１Ａから入力される指紋画像と、指紋関連情報格納部１５に格納されている登録指紋画像が一致する場合は、処理手段１４は、指紋関連情報格納部１５を参照して、一致すると判断された登録指紋画像及び判別手段１２で判別した指のタッチ角度に対応するユーザ名でのログイン処理を実行する（ステップＳ４）。照合手段１３は、エリア型の指紋センサ１１Ａから入力される指紋画像と、指紋関連情報格納部１５に格納されている登録指紋画像が一致しない場合は、エラーメッセージを表示部３１に表示してもよい。
【００４２】
図６は、エリア型の指紋センサ１１Ａに対する指のタッチ角度に応じて、対応するユーザ名でログインする処理の具体例を説明するための図である。ここでは、例えば、Ａさんが、ユーザ名Ａ１、ユーザ名Ａ２で登録している場合を例示して説明する。例えば、Ａさんは、仕事用としてユーザ名Ａ１を使用し、プライベート用としてユーザ名Ａ２を使用することで、仕事用とプライベート用でユーザ名を使い分けている。同図において、（Ａ）は、Ａさんが、タッチ角度θ１でエリア型の指紋センサ１１Ａにタッチした場合、（Ｂ）は、Ａさんが、タッチ角度θ２でエリア型の指紋センサ１１Ａにタッチした場合を示している。
【００４３】
図６において、指紋関連情報格納部１５は、ユーザ名Ａ１、Ａ２と、Ａさんの登録指紋画像と、タッチ角度θ１、θ２とを関連付けて格納している。タッチ角度θ１には、ユーザ名Ａ１が登録され、タッチ角度θ２には、ユーザ名Ａ２が登録されている。なお、図６に示す例では、タッチ角度θ３、θ４には、ユーザ名を登録していないが、これらにもユーザ名を登録してもよい。
【００４４】
Ａさんが、例えば、タッチ角度θ＝０度でエリア型の指紋センサ１１Ａにタッチすると、エリア型の指紋センサ１１Ａは、タッチされた指の指紋を読み取る。判別手段１２は、エリア型の指紋センサ１１Ａから入力される指紋画像に基づいて、エリア型の指紋センサ１１Ａに対する指のタッチ角度θ＝０を判別する。照合手段１３は、エリア型の指紋センサ１１Ａから入力される指紋画像と、指紋関連情報格納部１５に格納されているＡさんの登録指紋画像とを照合する。処理手段１４は、判別手段１２で判別した指のタッチ角度θ＝０度であるので、指紋関連情報格納部１５を参照して、タッチ角度θ１に対応するユーザ名Ａ１でログイン処理を実行する。例えば、処理手段１４は、ユーザ名Ａ１でのログイン中であることを表示部３１に表示してもよい。
【００４５】
同様に、Ａさんが、タッチ角度θ＝９０度でエリア型の指紋センサ１１Ａにタッチすると、エリア型の指紋センサ１１Ａは、タッチされた指の指紋を読み取る。判別手段１２は、エリア型の指紋センサ１１Ａから入力される指紋画像に基づいて、エリア型の指紋センサ１１Ａに対する指のタッチ角度θ＝９０を判別する。照合手段１３は、エリア型の指紋センサ１１Ａから入力される指紋画像と、指紋関連情報格納部１５に格納されているＡさんの登録指紋画像とを照合する。処理手段１４は、判別手段１２で判別する指のタッチ角度θ＝９０度であるので、指紋関連情報格納部１５を参照して、タッチ角度θ２に対応するユーザ名Ａ２でログイン処理を実行する。例えば、処理手段１４は、ユーザ名Ａ２でのログイン中であることを表示部３１に表示してもよい。
【００４６】
なお、エリア型の指紋センサ１１Ａに指の押圧を検出する機能を設け、上述の操作パラメータを指の圧力としてもよい。例えば、指の押圧Ｆが０＜Ｆ≦Ｆ１の場合は、第１のユーザ名でログイン処理を行い、指の押圧ＦがＦ１＜Ｆの場合は、第２のユーザ名でログイン処理を行ってもよい。
【００４７】
また、上述の所定の処理は、エリア型の指紋センサ１１Ａに対するタッチ角度又は圧力に基づいて、登録された複数のアプリケーションの中から、対応するアプリケーションを起動させる処理であることにしてもよい。例えば、指紋関連情報格納部１５に、ユーザ名と、登録指紋画像と、タッチ角度と、起動させるアプリを関連づけて記憶しておき、タッチ角度に対応するアプリを起動させてもよい。
【００４８】
また、上述の所定の処理は、エリア型の指紋センサ１１Ａに対するタッチ角度又は圧力に基づいて、登録されている複数のＷｅｂサイトの中から、対応するＷｅｂサイトへの接続処理であることにしてもよい。例えば、指紋関連情報格納部１５に、ユーザ名と、登録指紋画像と、タッチ角度と、接続するＷｅｂサイトを関連づけて記憶しておき、タッチ角度に対応するＷｅｂサイトに接続してもよい。
【００４９】
（実施例２）
上記図１のように構成される情報処理装置１の実施例２を説明する。実施例２では、上記指紋センサ１１としてライン型の指紋センサ１１Ｂを使用し、上記操作パラメータをライン型の指紋センサ１１Ａに対する指のスライド方向、上記所定の処理を、対応するアプリの起動処理とした場合について説明する。
【００５０】
図７は、実施例２に係る情報処理装置１の外観構成を示す模式的な斜視図である。図７において、図２と同等の機能を有する部位には同一の符号を付し、異なる点についてのみ説明する。図７において、第１の筐体２０の表面には、タッチパッド２２の側方にライン型の指紋センサ１１Ｂが配置されている。ユーザは、指紋認証を行う場合に、ライン型の指紋センサ１１Ｂに対して、指を前方（Ｙ軸の上方向）又は後方（Ｙ軸の下方向）にスライドさせて指紋認証を行うことができる。
【００５１】
図８は、ライン型の指紋センサ１１Ｂにおいて、指のスライド方向と指紋画像との関係の一例を説明するための説明図である。同図において、図８（Ａ）は、ライン型の指紋センサ１１Ｂに対して、前方に指をスライドさせた場合、図８（Ｂ）は、ライン型の指紋センサ１１Ｂに対して、後方に指をスライドさせた場合を示している。
【００５２】
図８（Ａ）に示すように、ライン型の指紋センサ１１Ｂに指を押しつけて前方にスライドさせると、例えば、ライン型の指紋センサ１１Ｂの読み取り順に、指紋の先端部の部分画像１０１と指紋の中間部の部分画像１０２と後端部の部分画像１０３の３枚が読み取られる。この場合は、指紋の接続関係が部分画像１０１、１０２、１０３となるので、スライド方向を前方と判断し、例えば、部分画像１０１、１０２、１０３の順に合成して指紋画像１００を生成することができる。
【００５３】
また、図８（Ｂ）に示すように、ライン型の指紋センサ１１Ｂに指を押しつけて後方にスライドさせると、例えば、ライン型の指紋センサ１１Ｂの読み取り順に、指紋の後端部の部分画像１１１と指紋の中間部の部分画像１１２と先端部の部分画像１１３の３枚が読み取られる。この場合は、指紋の接続関係が部分画像１１３、１１２、１１１となるので、スライド方向を後方と判断し、例えば、部分画像１１３、１１２、１１１の順に合成して指紋画像１００を生成することができる。
【００５４】
ライン型の指紋センサ１１Ｂは、一方向にスライドする指の指紋を一定間隔で複数読み取り、読み取った指紋の複数の部分画像を読み取り順に判別手段１２に出力する。判別手段１２は、ライン型の指紋センサ１１Ｂから読み取り順に入力される複数の指紋の部分画像の指紋の線の接続関係を判断して、接続関係から指のスライド方向を判断すると共に、正しい接続関係で複数の指紋の部分画像を合成して指紋画像を生成する。
【００５５】
指紋関連情報格納部１５は、ユーザ名と、ユーザの登録指紋画像と、ライン型の指紋センサ１１Ｂに対する指のスライド方向と、起動させるアプリとを関連づけて格納している。ユーザは、ＵＩの操作により、ユーザ名、指紋画像、スライド方向に対応させるアプリを登録又は変更することが可能となっている。
【００５６】
図９は、ライン型の指紋センサ１１Ｂに対する指のスライド方向に応じて、対応するアプリを起動させる処理の一例を説明するためのフローチャートである。図９において、ライン型の指紋センサ１１Ｂは、一方向にスライドする指の指紋を一定間隔で複数読み取り、読み取った指紋の複数の部分画像を読み取り順に判別手段１２に出力する（ステップＳ１１）。判別手段１２は、ライン型の指紋センサ１１Ｂから読み取り順に入力される複数の指紋の部分画像の指紋の線の接続関係を判断して、接続関係から指のスライド方向を判断すると共に、正しい接続関係で複数の指紋の部分画像を合成して指紋画像を生成する（ステップＳ１２）。判別手段１２は、合成した指紋画像を照合手段１３に出力し、判別したスライド方向を処理手段１４に出力する。照合手段１３は、判別手段１２から入力される指紋画像と、指紋関連情報格納部１５に格納されている登録指紋画像とを照合して、一致するか否かを判断する（ステップＳ１３）。
【００５７】
判別手段１２から入力される指紋画像と、指紋関連情報格納部１５に格納されている登録指紋画像が一致する場合は、処理手段１４は、登録指紋画像に対応するユーザ名でのログイン処理を行うと共に、指紋関連情報格納部１５を参照して、判別手段１２で判別したスライド方向に対応するアプリを起動させる（ステップＳ１４）。なお、照合手段１３は、ライン型の指紋センサ１１Ｂから入力される指紋画像と、指紋関連情報格納部１５に格納されている登録指紋画像が一致しない場合は、エラーメッセージを表示してもよい。
【００５８】
なお、ここでは、ログイン処理とアプリを起動させる処理を行っているが、ログインされている状態で、ライン型の指紋センサ１１Ｂに対して指をスライドさせて、スライド方向に応じて、対応するアプリを起動させてもよい。
【００５９】
図１０は、ライン型の指紋センサ１１Ｂに対する指のスライド方向に応じて、対応するアプリを起動させる処理の具体例を説明するための図である。図１０では、Ａさんが、ユーライン型の指紋センサ１１Ｂに対するスライド方向が前方の場合は、メールアプリの起動、スライド方向が後方の場合は、ブラウザアプリの起動を設定（登録）している場合を例示して説明する。同図において、（Ａ）は、Ａさんが、ライン型の指紋センサ１１Ｂを前方にスライドさせた場合、（Ｂ）は、Ａさんが、ライン型の指紋センサ１１Ｂを後方にスライドさせた場合を示している。
【００６０】
図１０において、指紋関連情報格納部１５は、ユーザ名Ａと、Ａさんの登録指紋画像と、スライド方向（前方、後方）と、起動させるアプリ（メールアプリ、ブラウザアプリ）を関連づけて格納している。図１０に示す例では、スライド方向の前方には、メールアプリ、スライド方向の後方には、ブラウザアプリが登録されている。なお、アプリを起動させずに、ホーム画面を表示してもよい。例えば、図１０に示す例では、Ｂさんについては、スライド方向が前方の場合はメールアプリの起動、スライド方向が後方の場合はアプリを起動せず（ホーム画面を表示）が登録されている。
【００６１】
Ａさんが、ライン型の指紋センサ１１Ｂに対して、指を前方にスライドさせると、ライン型の指紋センサ１１Ｂは、一定間隔で複数の指紋を読み取り、読み取った指紋の複数の部分画像を読み取り順に判別手段１２に出力する。判別手段１２は、読み取り順に入力される複数の指紋の部分画像の指紋の線の接続関係を判断して、接続関係から指のスライド方向を前方と判断し、また、正しい接続関係で複数の指紋の部分画像を合成して指紋画像を生成する。照合手段１３は、判別手段１２から入力される指紋画像と、指紋関連情報格納部１５に格納されているＡさんの登録指紋画像とを照合する。処理手段１４は、照合が一致した場合はユーザ名Ａでログイン処理を行うと共に、ログイン後、判別手段１２で判別したスライド方向＝前方であるので、指紋関連情報格納部１５を参照して、前方方向に対応するメールアプリを起動させる。例えば、処理手段１４は、表示部３１にログイン中の画面とメールアプリの画面を表示する。
【００６２】
同様に、Ａさんが、ライン型の指紋センサ１１Ｂに対して指を後方にスライドさせると、ライン型の指紋センサ１１Ｂは、一定間隔で複数指紋を読み取り、読み取った指紋の複数の部分画像を読み取り順に判別手段１２に出力する。判別手段１２は、読み取り順に入力される複数の指紋の部分画像の指紋の線の接続関係を判断して、接続関係から指のスライド方向を後方と判断し、また、正しい接続関係で複数の指紋の部分画像を合成して指紋画像を生成する。照合手段１３は、判別手段１２から入力される指紋画像と、指紋関連情報格納部１５に格納されているＡさんの登録指紋画像とを照合する。処理手段１４は、照合が一致した場合はユーザ名Ａでログイン処理を行うと共に、判別手段１２で判別したスライド方向＝後方であるので、指紋関連情報格納部１５を参照して、後方方向に対応するブラウザアプリを起動させる。例えば、処理手段１２は、表示部３１にログイン中の画面とブラウザアプリの画面を表示する。
【００６３】
なお、ライン型の指紋センサ１１Ｂ及び／又は判別手段１２にライン型の指紋センサ１１に対する指のスライド速度を検出する機能を設け、上述の操作パラメータを指のスライド速度としてもよい。例えば、所定のスライド方向（例えば、前方方向）のスライド速度Ｖが０＜Ｖ≦Ｖ１の場合は、メールアプリを起動させ、所定のスライド方向（例えば、前方方向）のスライド速度ＶがＶ１＜Ｖの場合は、ブラウザアプリを起動させてもよい。
【００６４】
また、上述の所定の処理は、ライン型の指紋センサ１１に対するスライド方向又はスライド速度に基づいて、登録された複数のユーザ名の中から、対応するユーザ名でのログイン処理であることにしてもよい。例えば、指紋関連情報格納部１５に、登録指紋画像と、スライド方向又はスライド速度と、対応するユーザ名とを関連づけて記憶しておき、ライン型の指紋センサ１１に対するスライド方向又はスライド速度に基づいて、対応するユーザ名でのログイン処理を行ってもよい。
【００６５】
また、上述の所定の処理は、ライン型の指紋センサ１１Ｂに対するスライド方向又はスライド速度に基づいて、登録されている複数のＷｅｂサイトの中から、対応するＷｅｂサイトへの接続処理であることにしてもよい。指紋関連情報格納部１５に、ユーザ名と、登録指紋画像と、スライド方向又はスライド速度と、接続するＷｅｂサイトを関連づけて記憶しておき、スライド方向又はスライド速度に対応するＷｅｂサイトに接続してもよい。
【００６６】
図１１は、上記実施の形態及び実施例に係る情報処理装置１のハードウェア構成例を示す図である。図１１に示す情報処理装置１は、ＣＰＵ１３１、ＲＯＭ１３２、メモリ１３３、ＨＤＤ１３４、表示部３１、入力部２３、指紋センサ１１、通信デバイス１２１、バッテリ１２２、ＤＣ−ＤＣコンバータ１２３、及びＡＣアダプタ１２４等を備えており、各部はバスを介して直接又は間接的に接続されている。
【００６７】
指紋センサ１１は、例えば、エリア型の指紋センサ１１Ａ又はライン型の指紋センサ１１Ｂであり、ＣＰＵ１３１の制御に従って、指の指紋の読み取りを行う。
【００６８】
ＣＰＵ１３１は、バスを介して接続されたＨＤＤ１３４に格納されたＯＳ１３４Ａにより情報処理装置１００全体の制御を行うとともに、ＨＤＤ１３４に格納された各種のプログラムに基づいて処理を実行する機能を司る。ＲＯＭ１３２は、ＢＩＯＳ（Ｂａｓｉｃ  Ｉｎｐｕｔ／Ｏｕｔｐｕｔ  Ｓｙｓｔｅｍ：基本入出力システム）３２ａを格納している。
【００６９】
メモリ１３３は、キャッシュメモリやＲＡＭで構成されており、ＣＰＵ１３１の実行プログラムの読み込み領域として、実行プログラムの処理データを書き込む作業領域として利用される書き込み可能メモリである。
【００７０】
ＨＤＤ１３４は、情報処理装置１全体の制御を行うためのＯＳ１３４Ａ、周辺機器類をハードウェア操作するための各種ドライバ１３４Ｂ、ユーティリティプログラム１３４Ｃ、メールアプリ１３４Ｄ，及びブラウザアプリ１３４Ｅ等のプログラムやデータ等を記憶する機能を有する。
【００７１】
表示部３１は、例えば、液晶ディスプレイ（ＬＣＤ：Liquid  Crystal  Display）や有機ＥＬ（Organic  Electro−Luminescence）パネルなどで構成され、ＣＰＵ１３１の制御に従って、各種情報を表示する機能を有している。通信デバイス１４１は、ＣＰＵ１３１の制御に従って、ネットワークを介して通信を行うためのユニットである。
【００７２】
入力部２３は、ユーザ入力を行うためのユーザ・インターフェース・デバイスであり、文字、コマンド等を入力するための各種キーより構成されるキーボード装置２１、画面上のカーソルを移動させたり、各種メニューを選択するためのタッチパッド２２等である。
【００７３】
ＡＣアダプタ１２４、バッテリ１２２，及びＤＣ／ＤＣコンバータ１２３は、電源回路を構成し、ＣＰＵ１３１の制御に従って、各部に電力を供給する。
【００７４】
図１１の構成において、例えば、ＣＰＵ１３１がＨＤＤ１３４に格納されたプログラムを実行することにより、図１の判別手段１２、照合手段１３、及び処理手段１４の機能を実現し、ＨＤＤ１３４が指紋関連情報格納部１５の機能を実現することができる。
【符号の説明】
【００７５】
１  情報処理装置
１１  指紋センサ
１２  判別手段
１３  照合手段
１４  処理手段
１５  指紋関連情報格納部
２０  第１の筐体
２１  キーボード装置
２２  タッチパッド
２３  入力部
３０  第２の筐体
３１  表示部
４０  ヒンジ
１２１  通信デバイス
１２２  バッテリ
１２３  ＤＣ−ＤＣコンバータ
１２４  ＡＣアダプタ
１３１  ＣＰＵ
１３２  ＲＯＭ
１３３  メモリ
１３４  ＨＤＤ
【図１】
2017151551.tif 000003
【図２】
2017151551.tif 000004
【図３】
2017151551.tif 000005
【図４】
2017151551.tif 000006
【図５】
2017151551.tif 000007
【図６】
2017151551.tif 000008
【図７】
2017151551.tif 000009
【図８】
2017151551.tif 000010
【図９】
2017151551.tif 000011
【図１０】
2017151551.tif 000012
【図１１】
2017151551.tif 000013